(57)【要約】【課題】  焼けどを防止できるカップを提供する。【解決手段】  一つのカップ体１及び二つの握り持ち片２を含み、当該カップ体１の内部に液体詰め空間１３を一つ形成し、飲み物，スープの汁などの液体を詰めるように用いられることが出来、当該二つの握り持ち片２が当該カップ体１に相対する両側の上縁部に接続し、当該二つの握り持ち片２を折り曲げて当該カップ体１の外縁に寄り添うことにより、焼けど防止用装置を形成できる。これにより、ユーザーが便宜的に手部にて握り持ち且つ手を焼けどする現象を起こすことを避けることが出来る、焼けど防止用装置を有するカップを提供できる。【選択図】図２
0003116844.tif 000002
【実用新案登録請求の範囲】
【請求項１】
焼けど防止用装置を有するカップは、
その内部に液体詰め空間を一つ形成してなる一つのカップ体と、
当該カップ体に相対する両側の上縁部に接続する二つの握り持ち片とを含み、
当該二つの握り持ち片が可撓性を有する接続部により当該カップ体に接続し、当該二つの握り持ち片が当該カップ体の外縁に寄り添うことにより焼けど防止用装置を形成することを特徴とする焼けど防止用装置を有するカップ。
【請求項２】
前記カップ体及び前記二つの握り持ち片は、プラスチック材料により一体成形されることを特徴とする請求項１記載の焼けど防止用装置を有するカップ。
【請求項３】
前記二つの握り持ち片の上に断熱空間が形成されることを特徴とする請求項１記載の焼けど防止用装置を有するカップ。
【請求項４】
前記カップ体はカップ蓋を一つ被せて接続し、当該カップ蓋が前記二つの握り持ち片を前記カップ体の外縁に寄り添うように押し付けることを特徴とする請求項1記載の焼けど防止用装置を有するカップ。
【考案の詳細な説明】
【技術分野】
【０００１】
本考案は、焼けど防止用装置を有するカップに関し、特に飲み物，スープの汁などの液体を詰めるように用いられる容器を指し、それは、ユーザーが便宜的に手部にて握り持つことが出来、ユーザーが手部にてカップ体に直接的に接触できず、そして手を焼けどする現象を起こすことを避けることが出来、人々がカップを持つように寄与する。
【背景技術】
【０００２】
従って、「カップ」は、飲み物，スープの汁などの液体を詰めるように用いられる容器で、例えば図1に示すように、従来のカップ8がカップ体81を一つ有し、当該カップ体81の内部には液体詰め空間82を一つ形成し、そして飲み物，スープの汁などの液体を詰めるように用いられることが出来る。当該カップ8の上にもカップ蓋（図略）を一つ被せて接続することが出来、そして人々の携帯に寄与し、カップ8内の液体の流出を防止する。
【考案の開示】
【考案が解決しようとする課題】
【０００３】
しかしながら、前述の従来のカップは、高温の液体を詰める時に、常に手が焼けどする現象が起こり、人々がカップを持つ不便を引き起こすが、特にテイクアウト用等の食品に使用される捨てる式のカップは、それが従来薄いプラスチック又は紙材により製造され、その断熱効果が極めて悪く、且つ携帯する時によくカップを放置する箇所がなく、人々が手を焼けどする高温に耐える必要を引き起こし、当該カップの使用が著しく不便となる。
【０００４】
ゆえに本考案の考案者は前述の改善可能な欠点を感じ、そして特に鋭意研究し且つ学理の運用に対応するため、やっと設計が合理で且つ有効に前述の欠点を改善する本考案を提案する。
【課題を解決するための手段】
【０００５】
前述の目的を達成するために、本考案は、焼けど防止用装置を有するカップを提供することにあり、その内部に液体詰め空間を一つ形成してなる一つのカップ体と、当該カップ体に相対する両側の上縁部に接続する二つの握り持ち片とを含み、当該二つの握り持ち片が可撓性を有する接続部により当該カップ体に接続し、当該二つの握り持ち片が当該カップ体の外縁に寄り添うことにより焼けど防止用装置を一つ形成する。
【考案の効果】
【０００６】
前記焼けど防止用装置により、ユーザーが便宜的に手部にてカップの両側を握り持つことが出来、ユーザーが手部にてカップ体に直接的に触ることが出来ず、そして手を焼けどする現象を起こことを避けることが出来る。
【考案を実施するための最良の形態】
【０００７】
本考案の特徴及び技術内容を理解できるために、以下に本考案に関する詳細な説明および添付の図面を参照し、しかしながら添付の図面が参考と説明用のみに提供するもので、より本考案を限定するように用いられるものではない。
【実施例１】
【０００８】
図2、図３及び図５を参照し、本考案は、焼けど防止用装置を有するカップを提供し、当該カップがプラスチック材料により一体成形され、当該カップが一つのカップ体1及び二つの握り持ち片2を含み、当該カップ体1が一つのカップ底11及び当該カップ底11の周縁から上向きに延ばして形成された一つのカップ壁12を有し、さらに当該カップ底11とカップ壁12との間にもヘッド部が開口状を呈する液体詰め空間13が形成され、カップ体1の内部に位置する当該液体詰め空間13が飲み物，スープの汁などの液体を詰めるように用いられることが出来る。さらに当該カップ壁12の上縁にも一つの環部14が形成され、カップ口の強度を増強するように用いられることが出来る。
【０００９】
当該二つの握り持ち片2は当該カップ体1のカップ壁12に相対する両側の上縁部に接続し、当該二つの握り持ち片2が可撓性を有する一つの接続部21によりカップ体1に一体成形に接続し、当該二つの握り持ち片2がおおよそ水平状を呈するようにカップ体1のカップ壁12の外縁より突出し、当該二つの握り持ち片2が中空状に製造され、そして当該二つの握り持ち片2の上に断熱空間22が形成され、当該二つの握り持ち片2がカップ壁12の外縁に寄り添う時に、握り持ち片2とカップ壁12との間に十分の断熱空間が形成されることにより、より好ましい断熱及び焼けど防止用効果を有することが出来、当該二つの握り持ち片2を利用して焼けど防止用装置を左右一対に形成するが、前述の構成により本考案の焼け防止用装置を有するカップを形成する。
【００１０】
例えば図4に示すように、本考案のカップ体1における液体詰め空間13に飲み物，スープの汁などの高温の液体を詰める時に、つまり当該二つの握り持ち片2を下向きに抑え付けることが出来、一般的にカップのカップ蓋3を利用して被せて接続する時に、当該カップ蓋3により当該二つの握り持ち片2をカップ壁12の外縁に寄り添うように押し付けて抑圧すると、当該二つの握り持ち片2にて形成された焼けど防止用装置により、ユーザーが便宜的に手部にてカップの両側を握り持つことが出来、ユーザーが手部にてカップ体1に直接的に触ることが出来ず、そして手を焼けどする現象を起こすように避けることが出来、人々がカップを持つように寄与する。
【００１１】
上記を総合し、本考案は実に珍しい新規の製品で、極めて産業上における利用性、新規性と進歩性を有する。
【００１２】
しかしながら、以上の叙述はただ本考案のより好ましい実行可能な実施例のみで、これにより本考案の特許請求の範囲を限定するわけではなく、例えば本考案の明細書及び図面の内容を運用してなる均等な技術の変更がいずれも本考案の実用新案登録請求の範囲内に同義的に含まれる。
【産業上の利用可能性】
【００１３】
以上のように本考案にかかる焼けど防止用装置を有するカップは、種々の用途に適用できる。
【図面の簡単な説明】
【００１４】
【図１】従来のカップの斜視図である。
【図２】本考案の一実施例を示す斜視図である。
【図３】本考案の一実施例を示す断面図である。
【図４】本考案の一実施例を示す使用状態の斜視図である。
【図５】図３のＶ−Ｖ腺断面図である。
【符号の説明】
【００１５】
1  カップ体
2  握り持ち片
3  カップ蓋
8  カップ
11  カップ底
12  カップ壁
13  液体詰め空間
14  環部
21  接続部
22  断熱空間
81  カップ体
82  液体詰め空間
【図１】
0003116844.tif 000003
【図２】
0003116844.tif 000004
【図３】
0003116844.tif 000005
【図４】
0003116844.tif 000006
【図５】
0003116844.tif 000007